(57)【要約】【課題】記録媒体上に記録する画像の最大幅以上の範囲にわたって複数のインクの吐出口を配列してなる記録ヘッドを用い、記録媒体を吐出口配列方向と異なる方向に搬送しつつ、複数の吐出口より所定の吐出周期でインクを吐出させて記録媒体に記録を行うインクジェット記録装置において、様々な記録条件においても、インク定着不良による弊害をなくすこと。【解決手段】記録媒体にインクが吸収・定着する速度に対応して、記録媒体の搬送速度を調整し、インクを着実に乾燥させながら記録を進める。【選択図】　　　　図４
2004050706.tif 000002
【特許請求の範囲】
【請求項１】
記録媒体上に記録する画像の最大幅以上の範囲にわたって複数のインクの吐出口を配列してなる記録ヘッドを用い、前記複数の吐出口より所定の吐出周期でインクを吐出させて記録媒体に記録を行うインクジェット記録装置において、
前記複数の吐出口の配列方向と異なる方向へ前記記録媒体を搬送する搬送手段と、
所定の記録条件に従って前記搬送手段による前記記録媒体の搬送速度を変更する搬送速度変更手段と、
を具えたことを特徴とするインクジェット記録装置。
【請求項２】
前記搬送速度の変更に伴い前記吐出周期を変更させる吐出周期変更手段をさらに具えたことを特徴とする請求項１に記載のインクジェット記録装置。
【請求項３】
前記所定の記録条件とは、前記記録媒体の種類であることを特徴とする請求項１または２に記載のインクジェット記録装置。
【請求項４】
前記所定の記録条件とは、画像の記録デューティであることを特徴とする請求項１または２に記載のインクジェット記録装置。
【請求項５】
前記所定の記録条件とは、前記記録媒体の種類および画像の記録デューティであることを特徴とする請求項１または２に記載のインクジェット記録装置。
【請求項６】
画像を記録するのに必要な前記複数の吐出口からの吐出回数をカウントするドットカウント手段を具え、該ドットカウント手段によって得られた吐出回数によって、前記記録デューティを算出することを特徴とする請求項４または５に記載のインクジェット記録装置。
【請求項７】
記録媒体上に記録する画像の最大幅以上の範囲にわたって複数のインクの吐出口を配列してなる記録ヘッドを用い、前記複数の吐出口より所定の吐出周期でインクを吐出させて記録媒体に記録を行う記録工程と、
前記複数の吐出口の配列方向と異なる方向へ前記記録媒体を所定の搬送速度で搬送する搬送工程と、
所定の記録条件に従って前記搬送手段による前記記録媒体の搬送速度を調節する調節工程と、
を具えたことを特徴とするインクジェット記録方法。
【請求項８】
前記調節工程では、前記搬送速度とともに前記吐出周期の調節を行うことを特徴とする請求項７に記載のインクジェット記録方法。
【請求項９】
請求項１ないし６のいずれかに記載のインクジェット記録装置と、
該インクジェット記録装置に対し、記録に係るデータを供給するとともに、前記所定の記録条件を指示するデータ供給装置と、
を具えたことを特徴とする記録システム。
【請求項１０】
記録ヘッドを用い、記録媒体に記録を行う記録装置において、
前記記録媒体を搬送する搬送手段と、
所定の記録条件に従って搬送手段による前記記録媒体の搬送速度を変更する搬送速度変更手段と、
を具えたことを特徴とする記録装置。
【請求項１１】
前記所定の記録条件とは、前記記録媒体の種類であることを特徴とする請求項１０に記載の記録装置。
【請求項１２】
前記所定の記録条件とは、画像の記録デューティであることを特徴とする請求項１０に記載の記録装置。
【請求項１３】
前記所定の記録条件とは、前記記録媒体の種類および画像の記録デューティであることを特徴とする請求項１０または１１に記載の記録装置。
【請求項１４】
画像を記録するのに必要な複数の記録手段からの記録回数をカウントするドットカウント手段を具え、該ドットカウント手段によって得られた記録回数によって、前記記録デューティを算出することを特徴とする請求項１０ないし１３に記載の記録装置。
【請求項１５】
前記所定の記録条件を外部機器より受け取る手段を具えたことを特徴とする請求項１０ないし１４に記載の記録装置。
【発明の詳細な説明】
【０００１】
【発明の属する技術分野】
本発明は、複数のノズルからインクを吐出して記録を行うインクジェット記録ヘッドを用いて、記録媒体に画像を形成するインクジェット記録装置およびインクジェット記録方法に関するものである。
【０００２】
【従来の技術】
図３は、ラインプリンタ形態のインクジェット記録装置の主要部分を示した内部構成図である。
【０００３】
９Ａ〜９Ｄは記録するインクの色別に設けたインクジェット記録ヘッドであり、搬送手段６に対して固定されている。インクジェット記録ヘッド９Ａ〜９Ｄは、それぞれインクを吐出するためのノズル（インクの吐出口と、この吐出口に連通する液路と、インク吐出に利用されるエネルギを発生するべく液路に配された素子とを総称して言うものとする）１０Ａ〜１０Ｄが紙面垂直方向（Ｚ方向）に多数配列されている。記録ヘッドユニット９Ａ〜９Ｄのそれぞれにおいて、ノズル１０Ａ〜１０Ｄ（以下、符号「１０」で参照する）の配列範囲は、記録媒体１１に形成される最大の画像幅以上であり、ノズル１０の群が一回の吐出を行うことで、画像幅分の記録画素（Ｚ方向）×搬送方向１画素（Ｙ方向）分の画像が記録される。
【０００４】
記録媒体１１（以下記録メディアとも言う）は、搬送手段６によって、搬送手段６の上流側（給紙側Ａ）から下流側（排紙側Ｂ）にＹ方向へ搬送される。そして、記録メディア１１の記録すべき位置がノズル１０の下を通過するタイミングで、記録制御部５から各ノズル１０にパルス信号が送信され、色ごとにインクが吐出される。
【０００５】
このように、記録媒体の搬送速度と、記録ヘッド９の吐出タイミングすなわち駆動周波数とが、適切な関係を保つことにより、記録媒体１１に画像を再現することができる。
【０００６】
ところで、ここで説明したような記録装置、すなわち、形成する画像幅以上にノズルが画像幅方向に配列された記録ヘッド（所謂フルマルチ型の記録ヘッドを用い、記録ヘッドは固定したままで、記録媒体をノズル配列方向とは異なる一方向に搬送する過程で画像を形成するラインプリンタ形態の記録装置は、より少ない数のノズルが配列された記録ヘッドを用い、この記録ヘッドを記録媒体に対しそのノズル配列の方向とは異なる方向に相対走査（主走査）させると共に、各主走査間で記録媒体を主走査方向に直交する方向（副走査方向）に移動走査させることで記録を行うシリアルプリンタ形態のインクジェット記録装置に比べ、記録速度が速いことが特徴である。
【０００７】
【発明が解決しようとする課題】
しかし、従来のラインプリンタ形態のインクジェット記録ヘッドを用いる記録装置では、記録媒体の種類や記録デューティによらず、一定の搬送速度および駆動周波数で記録を行うので、インク吸収速度の遅い記録媒体に記録した場合や、記録デューティが高い画像を記録した場合には、インクが吸収、乾燥しきらず、装置内へのインク付着、記録物の汚れ、記録後のインク浮き等の問題が起こるおそれがあった。また、記録を行った直後にユーザが記録物に触れて、ユーザの手を汚してしまう恐れもあった。
【０００８】
このような問題に対し、シリアルプリンタ形態の記録装置であれば、同じ領域を複数回に分けて記録走査を行い、記録媒体に付着したインクを乾燥させながら、少しずつ記録して行く方法を取ることもできるが、ラインプリンタ形態のインクジェット記録装置では、構成上このような記録を行うことは難しい。
【０００９】
また、ラインプリンタであっても、画像処理時に予め記録ドットを間引いておくという方法が考えられるが、記録物の濃度が全体的に薄くなってしまったり、必要なデータが欠落してしまうおそれがあり、あまり実用的ではない。
【００１０】
本発明は、上述の問題点を解消するためになされたものであり、その目的とするところは、様々な記録条件においても、インク定着不良による弊害のないインクジェット記録装置およびインクジェット記録方法を提供することにある。
【００１１】
【課題を解決するための手段】
そのために本発明では、記録媒体上に記録する画像の最大幅以上の範囲にわたって複数のインクの吐出口を配列してなる記録ヘッドを用い、前記複数の吐出口より所定の吐出周期でインクを吐出させて記録媒体に記録を行うインクジェット記録装置において、前記複数の吐出口の配列方向と異なる方向へ前記記録媒体を搬送する搬送手段と、所定の記録条件に従って前記搬送手段による前記記録媒体の搬送速度を変更する搬送速度変更手段とを具えたことを特徴とする。
【００１２】
また、記録媒体上に記録する画像の最大幅以上の範囲にわたって複数のインクの吐出口を配列してなる記録ヘッドを用い、前記複数の吐出口より所定の吐出周期でインクを吐出させて記録媒体に記録を行う記録工程と、前記複数の吐出口の配列方向と異なる方向へ前記記録媒体を所定の搬送速度で搬送する搬送工程と、所定の記録条件に従って前記搬送手段による前記記録媒体の搬送速度を調節する調節工程とを具えたことを特徴とする。
【００１３】
更に、上述したようなインクジェット記録装置と、該インクジェット記録装置に対し、記録に係るデータを供給するとともに、前記所定の記録条件を指示するデータ供給装置と、を具えたことを特徴とする。
【００１４】
また、記録ヘッドを用い、記録媒体に記録を行う記録装置において、前記記録媒体を搬送する搬送手段と、所定の記録条件に従って搬送手段による前記記録媒体の搬送速度を変更する搬送速度変更手段とを具えたことを特徴とする。
【００１５】
前記所定の記録条件とは、前記記録媒体の種類とすることができる。
【００１６】
また、前記所定の記録条件とは、画像の記録デューティとすることができる。
【００１７】
また、前記所定の記録条件とは、前記記録媒体の種類および画像の記録デューティとすることができる。
【００１８】
また、画像を記録するのに必要な複数の記録手段からの記録回数をカウントするドットカウント手段を具え、該ドットカウント手段によって得られた記録回数によって、前記記録デューティを算出することができる。
【００１９】
また、前記所定の記録条件を外部機器より受け取る手段を具えることができる。
【００２０】
以上の構成によれば、記録媒体にインクが吸収・定着する速度に対応して記録速度を調整し、インクを着実に乾燥させながら記録を進めることができるので、記録条件によらず、安定して定着した画像が得られ、インク定着不良による弊害も防止できる。
【００２１】
【発明の実施の形態】
以下に、図を用いて本発明の第１の実施形態を詳細に説明する。
【００２２】
本実施形態においては、従来技術の項で参照した図３の構成をもつインクジェット記録装置を適用する。
【００２３】
図２は、本実施形態で適用する記録装置の制御系の構成を示したものである。１は記録装置に対し外部機器のホスト装置をなすパーソナルコンピュータ（以下、ホストＰＣという）で、内部に処理部ＣＰＵ、プログラムを記憶するメモリＲＯＭ、データを刻するメモリＲＡＭ、データを表示する表示部、データを入力する入力部および記録装置に記録データおよび命令を送る通信部を具えている。２はホストＰＣ１から記録装置に送られてくる記録に係るデータ（画像信号）等を受け取る為のインターフェース（Ｉ／Ｆ）、３は記録装置のエンジンを制御するためのエンジンコントローラである。エンジンコントローラ３は、搬送制御部４、記録制御部５、回復制御部７およびこれら全体を統括するＣＰＵ１３によって構成されている。搬送制御部４は、記録媒体を搬送する搬送部６を制御し、その内部には、記録媒体を搬送する速度を調整する搬送速度調整部を具備し、ホストＰＣ１など外部からも搬送速度が調整できるようになっている。記録制御部５は、各ノズルに設けられたインク吐出に利用されるエネルギ、例えばインクに膜沸騰を生じさせる熱エネルギを発生する電気熱変換体（吐出ヒータ）に駆動信号（ヒート信号）を与え、実際に記録を行う記録部８を制御する。回復制御部は、インク吸引やワイピングなど、記録ヘッドの簡単なメンテナンス処理を行う回復部１２を制御する。
【００２４】
１４はＲＯＭであり、ＣＰＵ１３が実行する制御手順例えば，図１、図７および図８の所定のステップに対応したプログラムのほか、後述する図４、図５および図６に示す搬送速度テーブル等、記録装置に必要な情報が予め記憶されている。ＣＰＵ１３は必要に応じてＲＯＭ１４内の情報を読み出し、記録時の制御を行っている。更に、エンジンコントローラ３は、以上説明した以外にも、ホストＰＣ１との通信やコマンド解析など、記録装置の動作全般の制御を行っている。
【００２５】
図１は、上記記録装置のＣＰＵおよびホストＰＣ１の処理部ＣＰＵが記録を行う際の一連の動作を示したフローチャートである。
【００２６】
以下、図１に沿った制御の流れを、図２および図３を参照しながら説明する。
【００２７】
画像を記録する際、ユーザは記録に必要な各種のパラメータを、ホストコンピュータ１の処理部ＣＰＵによりホストＰＣ１内にインストールされたプリンタドライバより設定する。この際、記録しようとする記録メディアの種類もホストＰＣ１の入力部から入力された媒体情報から選択する（ステップＳ１）。
【００２８】
各種パラメータ設定後、プリンタドライバより記録開始の命令を記録装置に送る（ステップＳ２）。次のステップから記録装置内のステップとなり、まずエンジンコントローラ３内のＣＰＵ１３は、入力されてきたコマンドを解析し、エンジン内部の状態を監視し、コマンドに応じてステータスをホストＰＣ１に返す。
【００２９】
記録装置が記録可能な状態にあれば、エンジンコントローラ３は記録に使用する記録メディアの種類の情報と画像データをホストＰＣ１から受け取る。（ステップＳ３）。
【００３０】
エンジンコントローラ３のＣＰＵでは、受け取った記録メディアの情報から、予めＲＯＭ１４に記憶されているテーブルを参照し、最適な搬送速度Ｖを選択する（ステップＳ４）。
【００３１】
図４は、ＲＯＭ１４に記憶されている搬送速度Ｖのテーブルの一例を表したものである。このテーブルには、記録メディアの種類毎に搬送速度Ｖが設定されており、これは実際に夫々の記録メディアに記録を行った時に、装置内にインクが付着したり、記録物が汚れたり等の不都合が生じない十分な値となっている。よって、基本的には、定着の遅い記録メディアは搬送速度も遅く、定着の速い記録メディアは搬送速度も速く設定されるようになっている。なお、図４に示した記録メディアの種類及び対応する搬送速度は例示であることは言うまでもない。
【００３２】
ＣＰＵ１３は、搬送制御部４内の搬送速度調整部に対し、選択した搬送速度Ｖを設定させる。同時に、記録制御部５に対しても搬送速度Ｖに合わせた記録ヘッドの駆動周波数Ｈを設定させる。そして、搬送速度Ｖと駆動周波数Ｈとの調和したタイミングで記録が開始される（ステップＳ５）。
【００３３】
すなわち、搬送速度Ｖと駆動周波数Ｈとは、１対１の関係に設定されることが強く望ましく、これらの関係が守られないと、歪んだ画像が記録されてしまう。例えば、通常の記録に対し、搬送速度Ｖのみ遅くして、吐出タイミングを変更しないと、画像が搬送方向に縮んで形成されてしまうのである。よって、使用する記録メディアに応じて、搬送速度が搬送速度テーブルの参照によって変更された場合、同時に吐出制御も搬送速度にあわせて変更するものとする。
【００３４】
そしてこのように、搬送速度Ｖと駆動周波数Ｈとの調和したタイミングで記録を行って行き、１ページ分の記録が終了した時点で、全ての画像の記録が終了したかどうかを確認する（ステップＳ１６）。全画像の記録が完成している場合には一連の記録動作を終了しする。一方未記録の画像が残っている場合には、ステップＳ５に戻り、次ページについての記録を行う。
【００３５】
以上説明した様に本実施形態によれば、使用する記録メディアの種類によって、搬送速度および駆動周波数を自動的に変化させることにより、単位時間当りのインク記録量を調節し、インクを着実に乾燥させながら記録を進めて行くことができるので、記録物が汚れたり、装置を汚したりするなどの定着不良に起因する様々な弊害を防ぐことが出来る。
【００３６】
以下に、第２の実施形態について説明する。
【００３７】
本実施形態においても第１実施形態と同様に、図２及び図３で説明した構成の記録装置を適用するが、本実施形態では、記録メディアの種類ではなく、記録デューティによって、搬送速度Ｖを調節する。そのために、本実施形態では、記録装置内部あるいは外部に、１ページ分の画像で記録される総ドット数をカウントするドットカウント手段を設け、またＲＯＭ１４には、総ドット数から換算した記録デューティに対応した搬送速度テーブルを記憶しておく。
【００３８】
図７は、本実施形態の記録装置ＣＰＵおよびホストＰＣ１の処理部ＣＰＵが記録を行う際の動作を示したフローチャートである。
【００３９】
上述した実施形態と同様に、ユーザは各種パラメータ設定後、ホストＰＣ１はプリンタドライバより記録開始の命令を送る（ステップＳ６）。このとき、エンジンコントローラ３内のＣＰＵ１３は、入力されてきたコマンドを解析し、エンジン内部の状態を監視し、コマンドに応じてステータスをホストＰＣ１に返す。
【００４０】
記録装置が記録可能な状態にあれば、上述のドットカウント手段は、記録される画像について１ページ分の総ドット数をカウントする。１ページ分の総ドットとは、各記録ヘッドが１ページ内に記録するドット数を全色分加算したものである。そして、カウントされた総ドット数と画像データを受け取ったエンジンコントローラ３は記録デューティの計算を行う（ステップＳ７）。
【００４１】
記録デューティの計算は、総ドット数を用紙サイズ（もしくは記録領域）の全画素数で割ることによって行い、１画素に対する平均記録ドット数として算出する。よって、本実施形態のように４色分の記録ヘッドを使用する記録装置においては、最大の記録デューティは４００％となる。
【００４２】
更に、エンジンコントローラ３では、算出した記録デューティの値から、予めＲＯＭ１４に記憶されているテーブルを参照し、最適な搬送速度Ｖを選択する（ステップＳ８）。
【００４３】
図５は、ＲＯＭ１４に記憶されている上記搬送速度Ｖのテーブルの一例を表したものである。このテーブルには、記録デューティの段階毎に搬送速度Ｖが設定されており、これは夫々の記録デューティで記録を行った時に、装置内にインクが付着したり、記録物が汚れたり等の不都合が生じない十分な値となっている。よって、基本的には、記録デューティが高い場合には搬送速度が遅く、記録デューティが低い場合は搬送速度も速く設定されるようになっている。
【００４４】
ＣＰＵ１３は、搬送制御部４内の搬送速度調整手段に対し、選択した搬送速度Ｖを設定させる。同時に、記録制御部５に対しても搬送速度Ｖに合わせた記録ヘッドの駆動周波数Ｈを設定させる。そして、搬送速度Ｖと駆動周波数Ｈとの調和したタイミングで１ページ分の記録が行われる（ステップＳ９）。
【００４５】
１ページ分の記録が終了した時点で、全ての画像の記録が終了したかどうかを確認する（ステップＳ１６）。全画像の記録が完成している場合には一連の記録動作を終了する。一方未記録の画像が残っている場合には、ステップＳ７に戻り、次ページについて記録デューティーの計算を行った上で記録動作を行う。
【００４６】
以上説明したように本実施形態によれば、記録デューティの程度によって、搬送速度および駆動周波数を自動的に変化させることにより、単位時間当りのインク吸収量を一定範囲内に保ち、インクを着実に乾燥させながら記録して行くことができるので、記録物が汚れたり、装置を汚したりするなどの定着不良に起因する弊害を防ぐことが出来る。
【００４７】
更に本実施形態では、上記テーブルの選択および記録速度の調整をページ単位に行っているので、記録量の多いページや少ないページが混在した画像を記録する場合にも、記録時間を無駄に増やすことも無く、各ページで最適な記録を行うことが出来る。
【００４８】
以下に、第３の実施形態について説明する。
【００４９】
本実施形態においても上述した実施形態と同様に、図２及び図３で説明した構成の記録装置を適用するが、本実施形態では、第１の実施形態で説明した記録メディアの種類と、第２の実施形態で説明した記録デューティーとの双方に応じて、搬送速度Ｖを調節する構成とする。そのために、本実施形態でも、第２の実施形態と同様に記録装置内部あるいは外部に、１ページ分の画像で記録される総ドット数をカウントするドットカウント手段を設け、ＲＯＭ１４には、総ドット数から換算した記録デューティと記録メディアとに対応した搬送速度Ｖが記憶されている。
【００５０】
図８は、本実施形態の記録装置のＣＰＵおよびホストＰＣ１の処理部ＣＰＵが記録を行う際の動作を示したフローチャートである。以下、図８に沿った一連の制御流れを、図２及び図３を参照しながら説明する。
【００５１】
画像を記録する際、ユーザーは記録に必要な各種のパラメータを、ホストＰＣ１にインストールされたプリンタドライバより設定する。この際、記録しようとする記録メディアの種類もホストＰＣ１に入力された情報より選択する（ステップＳ１０）。
【００５２】
各種パラメータ設定後、プリンタドライバより記録開始の命令を記録装置に送る（ステップＳ１１）。このとき、エンジンコントローラ３内のＣＰＵ１３は、入力されてきたコマンドを解析し、エンジン内部の状態を監視し、コマンドに応じてステータスをホストＰＣ１に返す。
【００５３】
記録装置が記録可能な状態にあれば、記録に使用する記録メディアの種類の情報と画像データがホストＰＣ１からエンジンコントローラ３に転送される（ステップＳ１２）。
【００５４】
ＣＰＵ１３内に設けられたドットカウンタは、記録される画像について１ページ分の総ドット数をカウントする。そして、カウントされた総ドット数と画像データを受け取ったエンジンコントローラ３では記録デューティーの計算を行う（ステップＳ１３）。記録デューティの計算方法は、第２の実施形態と同様である。
【００５５】
次に、エンジンコントローラ３では、算出した記録デューティの値及び入力されてきた記録メディアの種類から、予めＲＯＭ１４に記憶されているテーブルを参照し、最適な搬送速度Ｖを選択する（ステップＳ１４）。
【００５６】
図６は、ＲＯＭ１４に記憶されている上記搬送速度Ｖのテーブルの一例を表したものである。このテーブルによれば、記録メディアの種類および記録デューティの段階毎に搬送速度Ｖが設定されており、これは夫々の条件で記録を行った時に、装置内にインクが付着したり、記録物が汚れたり等の不都合が生じない十分な値となっている。よって、基本的には、インクの定着速度が遅く、記録デューティーが高い場合には搬送速度が遅く設定されており、インクの定着速度が速く、記録デューティが低い場合は搬送速度も速く設定されるようになっている。
【００５７】
ＣＰＵ１３は、搬送制御部４内の搬送速度調整手段に対し、選択した搬送速度Ｖを設定させる。同時に、記録制御部５に対しても搬送速度Ｖに合わせた記録ヘッドの駆動周波数Ｈを設定させる。そして、搬送速度Ｖと駆動周波数Ｈとの調和したタイミングで１ページ分の記録が行われる（ステップＳ１５）。
【００５８】
１ページ分の記録が終了した時点で、全ての画像の記録が終了したかどうかを確認する（ステップＳ１６）。全画像の記録が完成している場合には一連の記録動作を終了する。未記録の画像が残っている場合には、ステップＳ１３に戻り、次ページについて記録デューティーの計算を行う。
【００５９】
以上説明したように本実施形態によれば、記録メディアの種類と記録デューティーの程度によって、搬送速度および駆動周波数を自動的に変化させることにより、単位時間当りのインク吸収量を一定範囲内に保ち、インクを着実に乾燥させながら記録して行くことができるので、記録物が汚れたり、装置を汚したりするなどの弊害を防ぐことが出来る。
【００６０】
また第２の実施形態と同様に、記録速度の調整をページ単位に行うことが出来るので、記録量の多いページや少ないページが混在した画像を記録する場合にも、記録時間を増やすことが無い。
【００６１】
更に本実施形態では、記録メディアの種類と記録デューティの双方から搬送速度が選択されているので、第１の実施形態や第２の実施形態よりも効率的に記録を行うことが出来る。例えば、定着性の劣る記録媒体でも、記録デューティが十分低ければ搬送速度を落とす必要がなく、また記録デューティが高くても、定着速度が十分速い記録メディアであれば、やはり搬送速度を落とす必要がないからである。このように、本実施形態では、確実な定着を得ながらも、よりタイムコストの少ない記録が可能となる。
【００６２】
なお、以上においては、インクを吐出するために利用されるエネルギとして熱エネルギを発生する電気熱変換体をノズルに設けた形態のインクジェット記録ヘッドを用いる記録装置に本発明を適用した実施形態について説明したが、ピエゾ素子など電気機械変換体をノズルに設けた形態のインクジェット記録ヘッドを用いる記録装置に対しても本発明を有効に適用できるのは勿論である。
【００６３】
また、上述の各実施形態では、ホストＰＣ１より所定の記録条件（記録媒体の種類等）の指示を受けるシステムについて例示したが、そのような条件は記録装置本体に設けた操作パネル等のからの指示に応じて設定されるものでもよい。
【００６４】
尚、上述の例では、記録媒体の幅に対して記録ヘッドが対応するような例で説明したが、シリアルプリンタでも同じような効果は得られる場合がある。
【００６５】
上述の例では、プログラム（ソフトウェア）による制御を行うものとして説明したが、実行する制御および機能の一部または全部をハードウェアにて実現することも可能である。また、搬送速度の設定をホスト装置側で行い、そのデータをプリント装置側に通知するようにしてもよい。
【００６６】
【発明の効果】
以上説明したとおり本発明によれば、記録媒体にインクが吸収・定着する速度に対応して、インクを着実に乾燥させながら記録を進めることができるので、記録条件によらず、安定して定着した画像を記録することが出来る。
【図面の簡単な説明】
【図１】本発明の第１実施形態における記録処理手順の一例を示すフローチャートである。
【図２】本発明の各実施形態を適用可能な記録装置における制御系の構成例を概略的に表わすブロック図である。
【図３】本発明の各実施形態を適用可能な記録装置の主要な内部構成の概略を示す模式的側面図である。
【図４】本発明の第１の実施形態で用いる搬送速度テーブルの一例を示す説明図である。
【図５】本発明の第２の実施形態で用いる搬送速度テーブルの一例を示す説明図である。
【図６】本発明の第３の実施形態で用いる搬送速度テーブルの一例を示す説明図である。
【図７】本発明の第２実施形態における記録処理手順の一例を示すフローチャートである。
【図８】本発明の第３実施形態における記録処理手順の一例を示すフローチャートである。
【符号の説明】
１　ホストＰＣ
２　インターフェース
３　エンジンコントローラ
４　搬送制御部
５　記録制御部
６　搬送部
７　回復制御部
８　記録部
９　インクジェット記録ヘッド
１０　ノズル
１１　記録媒体（記録メディア）
１２　回復部
１３　ＣＰＵ
１４　ＲＯＭ
【図１】
2004050706.tif 000003
【図２】
2004050706.tif 000004
【図３】
2004050706.tif 000005
【図４】
2004050706.tif 000006
【図５】
2004050706.tif 000007
【図６】
2004050706.tif 000008
【図７】
2004050706.tif 000009
【図８】
2004050706.tif 000010